(57)【要約】【課題】複数の無線通信装置を備えた無線通信ネットワークにおいて、スループットを低下させることなくマルチキャスト転送の信頼性を高めるとともに、高速な転送を可能にする。【解決手段】送信局である無線通信装置１、受信局である無線通信装置２，３は順番にビーコンフレーム101,102,103を送信する。無線通信装置１はマルチキャストフレームM1〜M4をバースト転送する。無線通信装置２，３は各マルチキャストフレームの受信の成否を示す情報を記憶しておき、マルチキャストフレームM4の受信終了後に、各マルチキャストフレームの受信の成否を示す情報を含むバックフレーム111,112をビーコンフレーム102,103を送信した順番と同じ順番で送信する。【選択図】図６
2013197909.tif 000002
【特許請求の範囲】
【請求項１】
複数の無線通信装置を備えた無線通信ネットワークにおいて、送信側の無線通信装置が複数の受信側の無線通信装置にマルチキャストフレームを送信する無線通信方法であって、
各無線通信装置が順番にビーコンフレームを送信するビーコンフレーム送信工程と、
前記送信側の無線通信装置が複数のマルチキャストフレームをバースト転送するマルチキャストフレーム転送工程と、
前記受信側の無線通信装置が、前記ビーコンフレームを送信した順番で、前記複数のマルチキャストフレームのそれぞれの受信の成否を示す情報を含む応答フレームを送信する応答フレーム送信工程と、
を備えた無線通信方法。
【請求項２】
請求項１に記載された無線通信方法において、
前記送信側の無線通信装置は、受信側の複数の無線通信装置が受信に失敗したフレームをマルチキャスト転送し、受信側の１つの無線通信装置が受信に失敗したフレームをユニキャスト転送するフレーム再送工程を備えた無線通信方法。
【請求項３】
請求項１に記載された無線通信方法において、
受信側の無線通信装置は、次のバースト転送で受信可能なフレーム数を示す情報を前記応答フレームに含め、送信側の無線通信装置は、再送するフレーム数と次のバースト転送で送信するフレーム数との合計が前記受信可能なフレーム数以下になるように、次のバースト転送で送信するフレーム数を設定する無線通信方法。
【請求項４】
複数の無線通信装置を備え、送信側の無線通信装置が複数の受信側の無線通信装置にマルチキャストフレームを送信可能な無線通信システムであって、
各無線通信装置はビーコンフレームを送信する手段と、前記ビーコンフレームを送信した順番を示す情報を取得する手段とを備え、
前記送信側の無線通信装置は複数のマルチキャストフレームをバースト転送する手段を備え、
前記受信側の無線通信装置は前記ビーコンフレームを送信した順番で、前記複数のマルチキャストフレームのそれぞれの受信の成否を示す情報を含む応答フレームを送信する手段を備えた無線通信システム。
【発明の詳細な説明】
【技術分野】
【０００１】
本発明は、時分割多重通信(TDMA: Time Division Multiple Access)方式で通信を行う無線通信ネットワークにおいて、マルチキャスト転送を行う無線通信方法及び無線通信システムに関する。
【背景技術】
【０００２】
近年では有線ネットワークの多くが無線ネットワークに置き換わり、無線通信技術は今後益々需要が増えると予想される。無線通信速度は飛躍的に向上して動画・音声データなどの大容量、かつリアルタイム性の必要な通信も無線で通信することが可能になり、家庭内の電子機器を無線ネットワークで接続するホーム無線ネットワークを構築することや、会社の会議室で複数のノートPC(Personal Computer)やプロジェクタなどを無線で通信する場面が増えてきている。
【０００３】
一般的に複数の無線通信装置で構成される無線通信ネットワークでは、受信局はデータフレームを正常に受信すると送信局に対して確認応答(ACK: Acknowledge)フレームを送信する。送信局はACKフレームを受信すると、データフレームを正常に送信できたと判断してデータフレームの送信を完了する。ACKフレームを一定期間以内に受信できない場合は、正常にデータフレームを送信できなかったと判断しデータフレームを再送して、ACKフレームを受信するか、もしくは再送回数が規定回数になるまで再送を繰り返す。この手法をARQ(Automatic Repeat Request)と呼び、無線通信の信頼性を向上させる。また、データフレームのライフタイム期間が終了するまで再送を繰り返す手法もある。
【０００４】
しかし一般的に定められている無線通信規格では、ARQ手法は送信局と受信局が単一の場合のユニキャスト通信のみに使用され、受信局が複数の場合のマルチキャスト通信には適用されない。よって例えば会議室内で複数のノートPCに配布資料を一度に送信したい場合や、あるノートPCから複数台のプロジェクタ装置にプレゼンテーションファイルを一度に送信したい場合などはマルチキャスト通信を行うことが想定されるが、送信局は複数の受信局が全て正常にデータを受信できたかどうかを確認することが出来ない。
【０００５】
この問題を解決するため様々な提案がなされている。即ち例えば特許文献１には、マルチキャスト転送の信頼性を高める目的で、マルチキャストフレームに対するACKフレーム送信時間を予め決めておき、マルチキャストフレームを受信した無線通信装置は指定された時間になるとそれまでに受信した全てのマルチキャストフレームに対するACKフレームを一度に送信する無線通信方法が開示されている。
また、特許文献２には、マルチキャスト転送の信頼性を高める目的で、送信局は一連のマルチキャストフレームをバースト転送し、受信局は一連のマルチキャストフレームの受信完了の後にキャリアセンスを行い、無線帯域が使用できる場合は、受信に成功したマルチキャストフレームのシーケンス番号を示す正常受信リストを含む肯定応答（ACK）フレームまたは受信に失敗したマルチキャストフレームのシーケンス番号を示す非受信リストを含む否定応答(NACK)フレームを送信する無線パケット通信方法が開示されている。
【０００６】
しかし、特許文献１に記載された無線通信方法では、送信局は全ての受信局に割り当てた時間が終了するまでマルチキャストフレームの送信に成功したか否かを確認することが出来ない、よって送信を完了することが出来ないという問題がある。
また、特許文献２に記載された無線通信方法では、キャリアセンスを行うので各無線通信装置はIFS(Inter Frame Space)時間、及びバックオフ時間（CW: Contention Window）だけ応答フレームを送信するまでに時間を要することになり、ネットワークのスループットが低下するという問題、及び応答フレームが衝突する可能性があるという問題がある。
【発明の概要】
【発明が解決しようとする課題】
【０００７】
本発明は、このような問題を解決するためになされたものであり、その目的は、複数の無線通信装置を備えた無線通信ネットワークにおいて、スループットを低下させることなくマルチキャスト転送の信頼性を高めるとともに、高速な転送を可能にすることである。
【課題を解決するための手段】
【０００８】
本発明は、複数の無線通信装置を備えた無線通信ネットワークにおいて、送信側の無線通信装置が複数の受信側の無線通信装置にマルチキャストフレームを送信する無線通信方法であって、各無線通信装置が順番にビーコンフレームを送信するビーコンフレーム送信工程と、前記送信側の無線通信装置が複数のマルチキャストフレームをバースト転送するマルチキャストフレーム転送工程と、前記受信側の無線通信装置が、前記ビーコンフレームを送信した順番で、前記複数のマルチキャストフレームのそれぞれの受信の成否を示す情報を含む応答フレームを送信する応答フレーム送信工程と、を備えた無線通信方法である。
【発明の効果】
【０００９】
本発明によれば、複数の無線通信装置を備えた無線通信ネットワークにおいて、スループットを低下させることなくマルチキャスト転送の信頼性を高めるとともに、高速な転送が可能になる。
【図面の簡単な説明】
【００１０】
【図１】本発明の実施形態に係る無線通信システムの構成を示す図である。
【図２】図１における無線通信装置のブロック図である。
【図３】WiMedia-MACフレームのMACヘッダのフォーマットを示す図である。
【図４】バックフレームのフォーマットを示す図である。
【図５】WiMedia-MAC規格で定められるスーパーフレームの構成を示す図である。
【図６】本発明の実施形態に係る無線通信システムにおいて、マルチキャストフレームをバースト転送する動作の一例のタイミング図である。
【図７】本発明の実施形態に係る無線通信システムにおいて、マルチキャストフレームをバースト転送する動作の別の一例のタイミング図である。
【図８】本発明の実施形態に係る無線通信システムにおける送信局の処理フローの一例を示す図である。
【図９】図８における再送フレーム生成の処理フローを示す図である。
【図１０】本発明の実施形態に係る無線通信システムにおける受信局の処理フローの一例を示す図である。
【発明を実施するための形態】
【００１１】
以下、本発明の実施形態について図面を参照しながら説明する。
<無線通信システムの構成>
図１は本発明の実施形態に係る無線通信システムの構成を示す図である。
この無線通信システムは、送信局（送信側）となる１台の無線通信装置１と、受信局（受信側）となる３台の無線通信装置２，３，４とで構成されており、無線通信装置１がマルチキャスト転送により無線通信装置２，３，４にマルチキャストフレームを転送することを示している。
【００１２】
<無線通信装置の構成>
図２は図１における無線通信装置のブロック図である。図１における各無線通信装置の構成は同じであり、送信局にも受信局にもなり得る。また、この図に示す構成は１例であり、本発明の機能を実現できるものであれば異なる構成でもよい。
【００１３】
図示のように、無線通信装置は、互いにデータ転送バス１０により接続されたCPU(Central Processing Unit)11、DMAC(Direct Memory Access Controller: DMAコントローラ、ダイレクトメモリアクセスコントローラ)12、RAM(Random Access Memory)13、及び無線通信処理部14を備えている。
【００１４】
無線通信処理部14は、プロトコル制御部141と、プロトコル制御部141に接続された信号処理部142と、信号処理部142に接続されたRF(Radio Frequency)部143と、RF部143に接続されたアンテナ144とを備えている。
【００１５】
RAM13にはCPU11が実行するプログラム、もしくはDMAC12が転送するDMA転送データが格納される。DMAC12はRAM13とプロトコル制御部141内のMAC部141a間をDMA転送する。プロトコル制御部141は無線通信プロトコル制御を行い、信号処理部142は送受信フレームの変復調を行い、RF部143は送信フレームを電波に変換してアンテナ144から送信させ、アンテナ144で受信した電波から受信フレームを取り出す。
【００１６】
プロトコル制御部141は、MAC(Media Access Control)部141a、バック(Back)フレーム解析部141b、バースト転送制御部141c、バックフレーム生成部141d、及びタイマー141eを備えている。
【００１７】
MAC部141aはメディアアクセス制御を行い、バックフレーム解析部141bは無線通信装置が送信局の場合、複数の無線通信装置からバックフレームを受信して、再送すべきデータとその再送データをユニキャストフレームで再送するか、もしくはマルチキャストフレームで再送するかを決定する。バースト転送制御部141cは受信したバックフレームから次のバースト転送の送信フレーム数の決定を行い、再送フレームの数を引いて新規に送信するフレーム数を示す情報を生成する。バックフレーム生成部141dは、無線通信装置が自身宛の複数のフレームの受信結果をビットマップ値で生成して、次のバースト転送シーケンスで受信可能なフレームサイズとフレーム数を生成して、バックフレームに設定する。タイマー141eはフレームの送受信タイミングを決定して、バックフレームを送信する時間を示す情報の生成などを行う。
【００１８】
〈MACヘッダのフォーマット〉
以下、本実施形態について、TDMA通信プロトコルを使用したWiMedia-MACプロトコルを例に説明する。WiMedia-MACプロトコルとはWiMedia Allianceが規格化したMACプロトコルである。ただし本発明はWiMedia-MACに限定されるものではなく、例えば無線LANなどのプロトコルにも適用可能である。
【００１９】
図３はWiMedia-MACフレームのMACヘッダのフォーマットを示す図である。ここでは本実施形態の説明に必要なフィールドのみ説明する。フレーム制御(Frame Control)フィールド中のACKポリシー(ACK Policy)にはNO-ACK、IMM-ACK、BACK-REQ、BACKの４種類を設定できる。ここで、NO-ACKはACKフレームを必要としないフレームであることを示し、IMM-ACKはACKフレームを必要とするフレームであることを示す。また、BACK-REQはバックフレームを要求することを示し、BACKはバックフレームを必要とするフレームであることを示す。バースト転送の最終フレームにはBACK-REQを設定して、それ以外の送信フレームにはBACKを設定する。また、バックフレームにはACKポリシーにNO-ACKを設定する。
【００２０】
〈バックフレームのフォーマット〉
図４はバックフレームのフォーマットを示す図である。このフォーマットはWiMedia-MAC規格で定められているフォーマットである。ここで、バッファサイズ(Buffer Size)は次のバースト転送シーケンスで受信可能なフレームサイズの合計を示し、フレームカウント(Frame Count)は次のバースト転送シーケンスで受信可能なフレーム数を示す。また、フレームビットマップ(Frame Bitmap)はMACヘッダのシーケンス制御(Sequence Control)フィールドの値により示されるシーケンス番号からの受信成否を示すビットマップ値になる。
【００２１】
〈スーパーフレームの構成〉
図５はWiMedia-MAC規格で定められるスーパーフレームの構成を示す図である。WiMedia-MACではTDMA通信プロトコルを使用し、１つのスーパーフレームを２５６のMAS(Medium
Access Slot)、即ちタイムスロットに分割する。スーパーフレームは、その開始時点を示すBPST(Beacon Period Start Time: ビーコン期間開始時刻)から始まるビーコン期間と、ビーコン期間に続くデータ転送期間からなる。
【００２２】
マルチキャスト無線通信ネットワークを構成する各無線通信装置は自分が使用するMASをビーコンフレームにより同じネットワーク中の他の無線通信装置に通知する。このとき各無線通信装置は、ビーコン期間におけるビーコンスロット番号の小さい（BPSTに近い）方から順番に空いている１個のビーコンスロットを使用して、その期間でビーコンフレームを送信する。
【００２３】
つまり各無線通信装置は自分が使用するMAS及びビーコンスロットを早い者勝ちで確保することになる。無線通信ネットワークに最初に参加した無線通信装置が最初にMAS及びビーコンスロットを確保することができるので、無線通信ネットワークに最初に参加した無線通信装置が他の無線通信装置に対し、それぞれが使用するMAS及びビーコンスロットを割り当てるとも言える。
【００２４】
〈マルチキャスト転送その１〉
図６は本発明の実施形態に係る無線通信システムにおいて、マルチキャストフレームをバースト転送する動作の一例のタイミング図である。
【００２５】
この図は無線通信装置１が送信局、無線通信装置２，３が受信局の場合を示している。
無線通信装置１，２，３はBPSTになると、それぞれに割り当てられたビーコンスロットでビーコンフレーム101,102,103を送信する。このとき、無線通信装置１はマルチキャストフレームを送信するMAS番号を指定し、ビーコンフレーム101により無線通信装置２，３に通知する。
【００２６】
無線通信装置１は、ビーコンフレームで指定したMASになると、４つのマルチキャストフレームM1,M2,M3,M4をMIFS(Minimum Inter Frame Space)間隔でバースト転送する。無線通信装置２，３はマルチキャストフレームM1,M2,M3,M4を連続で受信し、各マルチキャストフレームの受信結果を記憶しておく。
【００２７】
無線通信装置２，３はマルチキャストフレームのMACヘッダ中のACKポリシーがBACK-REQの場合、そのマルチキャストフレームがバースト転送の最終フレームであることを認識し、ビーコンフレームを送信した順番（この場合は無線通信装置２，３の順番）でバックフレーム111,112をSIFS(Short Inter Frame Space)間隔で送信する。
【００２８】
無線通信装置１は、無線通信装置２，３から送信されたバックフレーム111,112を受信すると、それらを解析する。この図の場合は、無線通信装置２は２番目のマルチキャストフレームM2と４番目のマルチキャストフレームM4の受信に失敗し、無線通信装置３は１番目のマルチキャストフレームM1と２番目のマルチキャストフレームM2の受信に失敗していることが判る。
【００２９】
従って、次（２回目）のバースト転送では１番目の送信フレームを無線通信装置３宛にユニキャスト転送し（U1）、２番目の送信フレームをマルチキャスト転送し（M2）、４番目の送信フレームを無線通信装置２宛にユニキャスト転送する（U4）。また、次（２回目）のバースト転送ではバックフレーム111,112のバッファサイズ、フレームカウント値から、５個のフレームを送信可能と判断して、１回目のバースト転送で送信していない５，６番目の新規送信フレームをマルチキャスト転送する（M5,M6）。
【００３０】
〈マルチキャスト転送その２〉
図７は本発明の実施形態に係る無線通信システムにおいて、マルチキャストフレームをバースト転送する動作の別の一例のタイミング図である。
【００３１】
この図では、マルチキャストグループに属する無線通信装置が図６の場合と比較して１台増え、無線通信装置１が３台の無線通信装置２，３，４宛にマルチキャスト転送する。この図の場合も、図６の場合と同様に、複数の無線通信装置が受信に失敗しているフレームについてはマルチキャストフレームで再送し、１台の無線通信装置が受信に失敗しているフレームについてはユニキャストフレームで再送する。
【００３２】
無線通信装置１，２，３，４はBPSTになると、それぞれに割り当てられたビーコンスロットでビーコンフレーム101,102,103,104を送信する。このとき、無線通信装置１はマルチキャストフレームを送信するMAS番号を指定し、ビーコンフレーム101により無線通信装置２，３，４に通知する。
【００３３】
無線通信装置１は、ビーコンフレームで指定したMASになると、６つのマルチキャストフレームM1,M2,M3,M4,M5,M6をバースト転送する。無線通信装置２，３，４はマルチキャストフレームM1,M2,M3,M4,M5,M6を連続で受信し、各マルチキャストフレームの受信結果を記憶しておく。
【００３４】
無線通信装置２，３，４はマルチキャストフレームのMACヘッダ中のACKポリシーがBACK-REQの場合、そのマルチキャストフレームがバースト転送の最終フレームであることを認識し、ビーコンフレームを送信した順（この図の場合は無線通信装置２，３，４の順）にバックフレーム111,112,113をSIFS間隔で送信する。
【００３５】
無線通信装置１は、無線通信装置２，３，４から送信されたバックフレーム111,112,113を受信すると、それらを解析する。この図の場合は、無線通信装置２は４番目のマルチキャストフレームM4と６番目のマルチキャストフレームM6の受信に失敗し、無線通信装置３は１番目のマルチキャストフレームM1と２番目のマルチキャストフレームM2と６番目のマルチキャストフレームM6の受信に失敗し、無線通信装置４は１番目のマルチキャストフレームM1の受信に失敗していることが判る。
【００３６】
従って、次（２回目）のバースト転送では１番目の送信フレームをマルチキャスト転送し（M1）、２番目の送信フレームを無線通信装置３宛にユニキャスト転送し（U2）、４番目の送信フレームを無線通信装置２宛にユニキャスト転送し（U4）、６番目の送信フレームをマルチキャスト転送する（M6）。また、次（２回目）のバースト転送ではバックフレーム111,112,113のバッファサイズ、フレームカウント値から、６個のフレームを送信可能と判断して、１回目のバースト転送で送信していない７，８番目の新規送信フレームをマルチキャスト転送する（M7,M8）。
【００３７】
〈送信局の処理フロー〉
図８は本発明の実施形態に係る無線通信システムにおける送信局の処理フローの一例を示す図である。
【００３８】
送信局である無線通信装置１はマルチキャストフレームをバースト転送し（ステップＳ１）、その後マルチキャストグループに属する全ての無線通信装置からバックフレームを受信すると（ステップＳ２→Ｓ３:YES）、バックフレームのフレームカウント値、バッファサイズの最小値を選択し、これらのサイズ、数を超えないように次のバースト転送のフレームサイズ（バッファサイズ）、フレーム数を決定する（ステップＳ４）。
【００３９】
次に再送フレームの生成を行う（ステップＳ５）。このステップの詳細については図９を用いて後述する。以後、ステップＳ５で生成された再送フレームの転送を以下の手順で行う。
【００４０】
再送フレーム数がバースト転送可能数未満である場合は（ステップＳ６:YES）、バースト転送可能数と再送フレーム数の差分だけ新規にマルチキャストフレームを生成し（ステップＳ７）、再送フレームと新規のマルチキャストフレームをバースト送信する（ステップＳ８）。つまり再送フレームに続けてバースト転送可能数になるまで新規のフレームをマルチキャストフレームで送信する。また、再送フレーム数がバースト転送可能数と同じ場合は（ステップＳ６:NO→ステップＳ９:YES）、再送フレーム全てをバースト転送する（ステップＳ１０）。
【００４１】
一方、再送フレーム数がバースト転送可能数よりも多い場合は（ステップＳ９:NO）、次のバースト転送で送信できない再送フレームを記憶し（ステップＳ１１）、送信可能なサイズの再送フレームをバースト送信する（ステップＳ１０）。即ちシーケンス番号の小さい順に転送可能なフレーム数をバースト転送し、残りの再送フレームは更に次のバースト転送時に送信する。
【００４２】
《再送フレームの生成処理》
図８における再送フレームの生成（ステップＳ５）の処理フローを図９に示す。
まず全てのバックフレームのフレームビットマップ値の最下位ビットを取得する（ステップＳ２１）。
【００４３】
次いで、取得したビットマップ値を基に、複数の無線通信装置が受信に失敗しているフレームに関しては（ステップＳ２２:YES）、フレームビットマップ値のビット位置に対応するシーケンス番号のフレームをマルチキャストフレームで再送するようにMACヘッダ中の宛先アドレスをマルチキャストアドレスに設定する（ステップＳ２３）。
【００４４】
１台の無線通信装置が受信に失敗しているフレームに関しては（ステップＳ２２:NO→Ｓ２４:YES）、フレームビットマップ値のビット位置に対応するシーケンス番号のフレームをユニキャストフレームで再送するようにMACヘッダ中の宛先アドレスを受信に失敗した無線通信装置のアドレスに設定する（ステップＳ２５）。
【００４５】
受信に失敗している無線通信装置がないときは（ステップＳ２４:NO）、フレームビットマップ値のビット位置に対応するシーケンス番号のフレームを再送しないように設定する（ステップＳ２６）。
【００４６】
ステップＳ２３、Ｓ２５、又はＳ２６を実行した後、バックフレームの全てのフレームビットマップ値を確認したか否かを判断し（ステップＳ２７）、未確認のフレームビットマップ値があったときは（ステップＳ２７:NO）、全てのバックフレームのフレームビットマップ値で１ビットだけ上位の値を取得し（ステップＳ２８）、ステップＳ２２へ移行する。バックフレームの全てのフレームビットマップ値を確認したときは（ステップＳ２７:YES）、再送フレームの生成を終了する。
【００４７】
〈受信局の処理フロー〉
図１０は本発明の実施形態に係る無線通信システムにおける受信局の処理フローの一例を示す図である。
【００４８】
受信局である無線通信装置は、データフレーム（マルチキャストフレームもしくはユニキャストフレーム）を受信したとき（ステップＳ３１）、MACヘッダのACKポリシーがBACK-REQか否かを判断する（ステップＳ３２）。
【００４９】
判断の結果、BACK-REQでなかった場合は（ステップＳ３２:NO）、その受信フレームはバースト転送の最終フレームではないので、ステップＳ３１へ移行する。
判断の結果、BACK-REQであった場合は（ステップＳ３２:YES）、その受信フレームがバースト転送の最終フレームであることを示すので、そのバースト転送シーケンスで受信したフレームの受信成否を示すBACKフレームを生成してバックフレームに設定する（ステップＳ３３）。さらに、次のバースト転送シーケンスで受信可能なフレーム合計サイズ（バッファサイズ）とフレーム数をバックフレームに設定する（ステップＳ３４）。そして、ビーコンフレームを送信した順にバックフレームをSIFS間隔で送信するため、自身の送信時間になるまで待機し、自身の送信時間になるとバックフレームを送信する（ステップＳ３５）。
【００５０】
以上詳細に説明したように、本発明の実施形態に係る無線通信システムによれば、受信側の無線通信装置は、バースト転送されたマルチキャストフレームを受信した後、直ちにSIFS間隔でビーコンフレームを送信した順にバックフレームを送信するので、バースト転送されたマルチキャストフレームを受信した後、キャリアセンスを行い、無線帯域が使用できる場合に応答フレームを送信する従来方法と比べると、スループットが高まり、マルチキャストフレームの送信が成功したか否かを早急に確認し、マルチキャスト送信を完了することが出来る。
また、マルチキャストフレームに対するACKフレームを送信するタイミングなどを予め決めておく従来方法と比べると、送信側の無線通信装置はマルチキャストフレームの送信が成功したか否かを早急に確認し、マルチキャスト送信を完了することが出来る。
【符号の説明】
【００５１】
１，２，３，４…無線通信装置、11…CPU、13…RAM、14…無線通信処理部、141…プロトコル制御部、142…信号処理部、143…RF部、101,102,103,104…ビーコンフレーム、M1,M2,M3,M4,M5,M6,M7,M8…マルチキャストフレーム、U1,U2,U4…ユニキャストフレーム、111,112,113…バックフレーム。
【先行技術文献】
【特許文献】
【００５２】
【特許文献１】特開２００８−１７３０６号公報
【特許文献２】特開２００５−２３６９２３号公報
【図１】
2013197909.tif 000003
【図２】
2013197909.tif 000004
【図３】
2013197909.tif 000005
【図４】
2013197909.tif 000006
【図５】
2013197909.tif 000007
【図６】
2013197909.tif 000008
【図７】
2013197909.tif 000009
【図８】
2013197909.tif 000010
【図９】
2013197909.tif 000011
【図１０】
2013197909.tif 000012